(57)【要約】【課題】メール送信者の送信メールの文中の冗長なＵＲＬを元のＵＲＬに基づいて自動で短縮して変換し、可読性のあるＵＲＬメール受信者に提示することを可能にする。【解決手段】メール受信部１１は、送信端末６から送信メールを取得し、ＵＲＬ抽出部１２は、送信メールの文中に含まれるＵＲＬを抽出し、ＵＲＬ変換部１３は、ＵＲＬを所定のルールに従って短縮し、可読性のあるＵＲＬに変換する。ＵＲＬ変換部１３は、情報ＤＢ１５に変換前のＵＲＬと変換後のＵＲＬとを対応付けて記憶させ、メール送信部１４は、変換後メールを受信端末７に送信する。受信端末７から変換後のＵＲＬに対応するＷｅｂページのページ表示要求を取得すると、ＵＲＬ対応関係解決部１６は、変換後のＵＲＬに対応する変換前のＵＲＬを情報ＤＢ１５から検索し、変換前のＵＲＬに対応するＷｅｂページを受信端末７に表示させる。【選択図】図１
2011186639.tif 000002
【特許請求の範囲】
【請求項１】
メール送信者からメール受信者宛の送信メールを取得する取得手段と、
前記送信メールの文中に含まれるＵＲＬを抽出する抽出手段と、
前記ＵＲＬのパスの文字列と前記ＵＲＬに対応するＷｅｂページのソースとに基づいて、所定のルールに従って前記ＵＲＬを短縮して変換する変換手段と、
前記送信メールの文中の変換前のＵＲＬを、前記変換手段が変換した変換後のＵＲＬに入れ替えた変換後メールをメール受信者に提示する第１提示手段と、
前記変換前のＵＲＬと前記変換後のＵＲＬとを対応付けて記憶する記憶手段と、
前記メール受信者から前記変換後のＵＲＬに対応するＷｅｂページのページ表示要求を取得する要求手段と、
前記要求手段が前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示手段と、
を備えることを特徴とするコンテンツ関係管理システム。
【請求項２】
前記記憶手段は、前記変換前のＵＲＬと前記変換後のＵＲＬと前記変換後メールまたは前記送信メールとを対応付けて記憶することを特徴とする請求項１に記載のコンテンツ関係管理システム。
【請求項３】
前記ＵＲＬに対応するＷｅｂページのソースを取得し、前記所定のルールに従って、前記ソースからページ情報を取得するページ情報手段を備え、
前記変換手段は、前記変換前のＵＲＬのパスの文字列を文字数が所定の値以下になるまで最後のセグメントから順次削除して短縮し、前記短縮した文字列と前記ページ情報とに基づいて、前記変換後のＵＲＬを生成することを特徴とする請求項１または２に記載のコンテンツ関係管理システム。
【請求項４】
メール送信者からメール受信者宛の送信メールを前記メール送信者の端末から受信する受信手段と、
前記送信メールの文中に含まれるＵＲＬを抽出する抽出手段と、
前記ＵＲＬのパスの文字列と前記ＵＲＬに対応するＷｅｂページのソースとに基づいて、所定のルールに従って前記ＵＲＬを短縮して変換する変換手段と、
前記送信メールの文中の変換前のＵＲＬを、前記変換手段が変換した変換後のＵＲＬに入れ替えた変換後メールをメール受信者の端末に送信する送信手段と、
前記変換前のＵＲＬと前記変換後のＵＲＬとを対応付けて記憶する記憶手段と、
前記メール受信者の端末から前記変換後のＵＲＬに対応するＷｅｂページのページ表示要求を取得する要求手段と、
前記要求手段が前記ページ表示要求を取得すると、前記変換後のＵＲＬに対応する前記変換前のＵＲＬを前記記憶手段から検索し、前記変換前のＵＲＬに対応するＷｅｂページを前記メール受信者の端末に表示させる表示手段と、
を備えることを特徴とするコンテンツ関係管理装置。
【請求項５】
前記送信メールを特定するメール特定情報のみを前記メール受信者の端末に送信する副送信手段と、
前記メール受信者の端末から、前記メール受信者宛の送信メールのメール表示要求を取得するメール要求手段と、
を備え、
前記送信手段は、前記メール要求手段が取得した前記メール表示要求の対象の変換後メールを前記メール受信者の端末に送信することを特徴とする請求項４に記載のコンテンツ関係管理装置。
【請求項６】
前記記憶手段は、前記変換前のＵＲＬと前記変換後のＵＲＬと前記変換後メールまたは前記送信メールとを対応付けて記憶することを特徴とする請求項４または５に記載のコンテンツ関係管理装置。
【請求項７】
前記ＵＲＬに対応するＷｅｂページのソースを取得し、前記所定のルールに従って、前記ソースからページ情報を取得するページ情報手段を備え、
前記変換手段は、前記変換前のＵＲＬのパスの文字列を文字数が所定の値以下になるまで最後のセグメントから順次削除して短縮し、前記短縮した文字列と前記ページ情報とに基づいて、前記変換後のＵＲＬを生成することを特徴とする請求項４ないし６のいずれか１項に記載のコンテンツ関係管理装置。
【請求項８】
コンテンツ関係管理システムが実行するコンテンツ関係管理方法であって、
メール送信者からメール受信者宛の送信メールを取得する取得ステップと、
前記送信メールの文中に含まれるＵＲＬを抽出する抽出ステップと、
前記ＵＲＬのパスの文字列と前記ＵＲＬに対応するＷｅｂページのソースとに基づいて、所定のルールに従って前記ＵＲＬを短縮して変換する変換ステップと、
前記送信メールの文中の変換前のＵＲＬを、前記変換ステップで変換した変換後のＵＲＬに入れ替えた変換後メールをメール受信者に提示する第１提示ステップと、
前記変換前のＵＲＬと前記変換後のＵＲＬとを対応付けて記憶手段に記憶する記憶ステップと、
前記メール受信者から前記変換後のＵＲＬに対応するＷｅｂページのページ表示要求を取得する要求ステップと、
前記要求ステップで前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示ステップと、
を備えることを特徴とするコンテンツ関係管理方法。
【請求項９】
コンピュータに
メール送信者からメール受信者宛の送信メールを取得する取得ステップと、
前記送信メールの文中に含まれるＵＲＬを抽出する抽出ステップと、
前記ＵＲＬのパスの文字列と前記ＵＲＬに対応するＷｅｂページのソースとに基づいて、所定のルールに従って前記ＵＲＬを短縮して変換する変換ステップと、
前記送信メールの文中の変換前のＵＲＬを、前記変換ステップで変換した変換後のＵＲＬに入れ替えた変換後メールをメール受信者に提示する第１提示ステップと、
前記変換前のＵＲＬと前記変換後のＵＲＬとを対応付けて記憶手段に記憶する記憶ステップと、
前記メール受信者から前記変換後のＵＲＬに対応するＷｅｂページのページ表示要求を取得する要求ステップと、
前記要求ステップで前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示ステップと、
を実行させることを特徴とするプログラム。
【発明の詳細な説明】
【技術分野】
【０００１】
本発明は、コンテンツ関係管理システム、コンテンツ関係管理装置、コンテンツ関係管理方法およびプログラムに関する。
【背景技術】
【０００２】
従来、ＷｅｂシステムのＵＲＬ（Uniform Resource Locator）をメールの文中に貼り付けて送信するとき、Ｗｅｂブラウザのアドレスバー上に表示されているＵＲＬを貼り付けていた。Ｗｅｂシステム上のＵＲＬはユーザにとって無意味かつ長い場合が多く、メールを受け取る相手に対し説明が必要であった。
【０００３】
この問題に対し、ＵＲＬを短くするＵＲＬ短縮サービスが存在している。ＵＲＬ短縮サービスを使うためには、それに先だって元のＵＲＬとそれを短縮形に変換した形式の登録を手動で行う必要がある。ＵＲＬ短縮サービスを利用する際には変換前のＵＲＬを指定し、必要に応じて変換後のＵＲＬを指定する形式をとっている。また、予め記憶されたＵＲＬ変換用テーブルを参照して、ＵＲＬを自動で変換する技術も存在する。
【０００４】
特許文献１、２、３、６および９にはＵＲＬの管理・提供について記載されている。特許文献１には、グループの複数のメンバーでＵＲＬの情報を共有し、メンバー内で変更・削除して管理する共有ＵＲＬ管理方法が開示されている。特許文献１の共有ＵＲＬ管理方法は、ＵＲＬに関する付加情報を変更するものである。特許文献２には、キーワードを利用してユーザの所望するＷｅｂページに的確かつ容易にアクセスすることのできるＵＲＬ変換サーバシステムが開示されている。特許文献２のＵＲＬ変換サーバシステムは、キーワードと、当該キーワードに対応するＵＲＬとを記憶しており、ユーザが入力したキーワードに対応するＵＲＬをユーザに提供するものである。
【０００５】
特許文献３には、関連するＷＥＢ情報がどのＵＲＬにあるのかということを出力できるようにする技術が開示されている。特許文献３に記載の技術は、ＷＥＢ上の膨大な情報のリンクを自動的に検索し、それぞれのコンテンツを自動的にキーワード毎にカテゴリーに分け、整理することができるようにするものである。特許文献６には、ユーザ自らが登録作業を行わなくてもＵＲＬを自動的にブックマークへ登録することができるＵＲＬ処理装置が開示されている。特許文献６に記載のＵＲＬ処理装置は、ユーザが読み込んだＵＲＬのアクセス回数に基づいて自動でブックマークに登録するものである。特許文献９には、ＴＶやラジオ等より目や耳で得たあいまいなＵＲＬや電子メールアドレスをより確実なものにできる電子メール検索システムが開示されている。特許文献９に記載の電子メール検索システムは、キーワードに関連付けた情報内容を格納するデータベースを備え、ユーザが電子メールで送信したキーワードに対応する正確なＵＲＬや情報をユーザに提供するものである。
【０００６】
特許文献４、７、８、１０および１１には、ＵＲＬの変換について記載されている。特許文献４には、クライアントからのＵＲＬ検索要求に応じて検索したＵＲＬを、クライアントのユーザＩＤ、ＩＰアドレス、ホスト名などに応じて最適なＵＲＬに変換するＵＲＬ変換方法が開示されている。特許文献４に記載のＵＲＬ変換方法は、所定のサーバにアクセスが集中することを避けて負荷分散したり、クライアントのネットワーク内の位置に応じて速度が速いＵＲＬを返したりするために、検索されたＵＲＬに対して、検索要求を出したクライアントの環境に応じたＵＲＬに変換するものである。特許文献７には、扱えるＵＲＬ長に制限のあるクライアント端末においても、その制限を越える長いＵＲＬによって指定されるコンテンツ及びそのプロセスへのアクセスを可能にするＵＲＬ長変換システムが開示されている。特許文献７に記載のＵＲＬ長変換システムにおけるＵＲＬの変換処理は、クライアント端末がサポートできる長さのＵＲＬへと縮小化するものである。
【０００７】
特許文献８には、ＵＲＬに関連して予め割り当てられた簡易化ネットワークアドレスを介してネットワークＵＲＬをアクセスし、ネットワークアドレスとしてＵＲＬを有するホームページを表示するアクセス方法が開示されている。特許文献８に記載のアクセス方法では、ＵＲＬに割り当てられる簡易化ネットワークアドレスは番号などである。特許文献１０には、ＵＲＬ情報をホスト部分とパス部分とに分割し、それぞれに一意のインデックス情報を割当てるＵＲＬ情報の変換方法が開示されている。特許文献１０に記載のＵＲＬ情報の変換方法では、ＵＲＬ情報を分割したホスト部分とパス部分とに割り当てられる一意のインデックス情報は番号などである。特許文献１１には、ユーザに長く複雑な文字列のＵＲＬを意識させずに、ＵＲＬに対応する比較的短い番号を入力するだけでインターネットにアクセスできるインターネットへのアクセス技術が記載されている。特許文献１１に記載のアクセス技術は、予め文字列で表現されているＵＲＬを比較的短い１０桁の番号に割り当て、上位１桁、上位２〜５桁は予め作成したアルファベットと基準値とに対応する数字の対応表、アルファベットの桁数に対する対応表に基づいて任意の数字を割り当てるものである。
【０００８】
特許文献５には、ユーザが検索したホームページにアクセスする際に、ホームページのＵＲＬと関連付けた中間ＵＲＬを用いることで、ホームページのＵＲＬを変更した場合に生じる不都合を軽減するＵＲＬ管理システムが開示されている。特許文献５に記載のＵＲＬ管理システムは、ユーザが検索したホームページにアクセスする際に中間ＵＲＬを経由させ、中間ＵＲＬを用いたアクセスが要求されると、アクセス先をホームページのＵＲＬに変換するものである。
【先行技術文献】
【特許文献】
【０００９】
【特許文献１】特開２００１−２６５６９５号公報
【特許文献２】特開２００３−０４４５０８号公報
【特許文献３】特開２００３−３１６８２０号公報
【特許文献４】特開２０００−２８５０５２号公報
【特許文献５】特開２００３−２８１００９号公報
【特許文献６】特開２００１−２０９６０２号公報
【特許文献７】特開２００３−１４１００２号公報
【特許文献８】特開２００２−０８２８５６号公報
【特許文献９】特開２００２−１５７２４８号公報
【特許文献１０】特開２００４−２０６４０６号公報
【特許文献１１】特開平１０−０７８９２８号公報
【発明の概要】
【発明が解決しようとする課題】
【００１０】
電子メールにＷｅｂブラウザのアドレスバー上に表示されているＵＲＬを添付する場合、ＵＲＬが長いため、コンテンツの表示領域を占有していた。また、メールクライアントアプリケーションによっては長すぎて正確に扱えないものもあり不便であった。
【００１１】
これに対し、ＵＲＬ短縮サービスなどを使って手動で短縮ＵＲＬを定義する場合、短縮ＵＲＬはＵＲＬ短縮サービス利用者毎に定義されるため、バラバラであった。変換後のＵＲＬに一貫性が無いため、結果として流通するＵＲＬに統一感がなく、利用者に混乱を与える危険性が高かった。また、グループで作業している際に、参考のために特定のＷｅｂページなどをメールの文中に貼り付けて送信すると、別人が別の時期に同じＷｅｂページを紹介するなどの無駄が発生する場合があった。
【００１２】
一方、予め記憶されたＵＲＬ変換用テーブルを参照して自動で短縮ＵＲＬを定義する場合、数字やアルファベットが画一的に割り当てられるものであって、元のＵＲＬに基づいて短縮するものではないので可読性がなかった。また、変換後のＵＲＬは元々どこを指し示しているか全く分からないため、クリックした先が悪意を持ったページであるなどのセキュリティ的な問題があった。また、ＵＲＬが冗長であるＷｅｂシステムにおいて、大本のＵＲＬを読み易く整備するためにはＷｅｂシステムそのものを改造する必要があり、極めて高コストである。
【００１３】
特許文献１、２、３、５、６および９の発明は、ＵＲＬそのものを変換するものではない。特許文献４に記載のＵＲＬ変換方法は、ＵＲＬの短縮を目的とするものではない。特許文献７、８、１０および１１に記載の発明は、元のＵＲＬに基づいて短縮して変換するものではないので可読性がない。
【００１４】
本発明は、上述のような事情に鑑みてなされたもので、メール送信者の送信メールの文中の冗長なＵＲＬを元のＵＲＬに基づいて自動で短縮して変換し、可読性のあるＵＲＬメール受信者に提示できるコンテンツ関係管理システム、コンテンツ関係管理装置、コンテンツ関係管理方法およびプログラムを提供することを目的とする。
【課題を解決するための手段】
【００１５】
本発明の第１の観点に係るコンテンツ関係管理システムは、
メール送信者からメール受信者宛の送信メールを取得する取得手段と、
前記送信メールの文中に含まれるＵＲＬを抽出する抽出手段と、
前記ＵＲＬのパスの文字列と前記ＵＲＬに対応するＷｅｂページのソースとに基づいて、所定のルールに従って前記ＵＲＬを短縮して変換する変換手段と、
前記送信メールの文中の変換前のＵＲＬを、前記変換手段が変換した変換後のＵＲＬに入れ替えた変換後メールをメール受信者に提示する第１提示手段と、
前記変換前のＵＲＬと前記変換後のＵＲＬとを対応付けて記憶する記憶手段と、
前記メール受信者から前記変換後のＵＲＬに対応するＷｅｂページのページ表示要求を取得する要求手段と、
前記要求手段が前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示手段と、
を備えることを特徴とする。
【００１６】
本発明の第２の観点に係るコンテンツ関係管理装置は、
メール送信者からメール受信者宛の送信メールを前記メール送信者の端末から受信する受信手段と、
前記送信メールの文中に含まれるＵＲＬを抽出する抽出手段と、
前記ＵＲＬのパスの文字列と前記ＵＲＬに対応するＷｅｂページのソースとに基づいて、所定のルールに従って前記ＵＲＬを短縮して変換する変換手段と、
前記送信メールの文中の変換前のＵＲＬを、前記変換手段が変換した変換後のＵＲＬに入れ替えた変換後メールをメール受信者の端末に送信する送信手段と、
前記変換前のＵＲＬと前記変換後のＵＲＬとを対応付けて記憶する記憶手段と、
前記メール受信者の端末から前記変換後のＵＲＬに対応するＷｅｂページのページ表示要求を取得する要求手段と、
前記要求手段が前記ページ表示要求を取得すると、前記変換後のＵＲＬに対応する前記変換前のＵＲＬを前記記憶手段から検索し、前記変換前のＵＲＬに対応するＷｅｂページを前記メール受信者の端末に表示させる表示手段と、
を備えることを特徴とする。
【００１７】
本発明の第３の観点に係るコンテンツ関係管理方法は、
コンテンツ関係管理システムが実行するコンテンツ関係管理方法であって、
メール送信者からメール受信者宛の送信メールを取得する取得ステップと、
前記送信メールの文中に含まれるＵＲＬを抽出する抽出ステップと、
前記ＵＲＬのパスの文字列と前記ＵＲＬに対応するＷｅｂページのソースとに基づいて、所定のルールに従って前記ＵＲＬを短縮して変換する変換ステップと、
前記送信メールの文中の変換前のＵＲＬを、前記変換ステップで変換した変換後のＵＲＬに入れ替えた変換後メールをメール受信者に提示する第１提示ステップと、
前記変換前のＵＲＬと前記変換後のＵＲＬとを対応付けて記憶手段に記憶する記憶ステップと、
前記メール受信者から前記変換後のＵＲＬに対応するＷｅｂページのページ表示要求を取得する要求ステップと、
前記要求ステップで前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示ステップと、
を備えることを特徴とする。
【００１８】
本発明の第４の観点に係るプログラムは、コンピュータに
メール送信者からメール受信者宛の送信メールを取得する取得ステップと、
前記送信メールの文中に含まれるＵＲＬを抽出する抽出ステップと、
前記ＵＲＬのパスの文字列と前記ＵＲＬに対応するＷｅｂページのソースとに基づいて、所定のルールに従って前記ＵＲＬを短縮して変換する変換ステップと、
前記送信メールの文中の変換前のＵＲＬを、前記変換ステップで変換した変換後のＵＲＬに入れ替えた変換後メールをメール受信者に提示する第１提示ステップと、
前記変換前のＵＲＬと前記変換後のＵＲＬとを対応付けて記憶手段に記憶する記憶ステップと、
前記メール受信者から前記変換後のＵＲＬに対応するＷｅｂページのページ表示要求を取得する要求ステップと、
前記要求ステップで前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示ステップと、
を実行させることを特徴とする。
【発明の効果】
【００１９】
本発明のコンテンツ関係管理システム、コンテンツ関係管理装置、コンテンツ関係管理方法およびプログラムによれば、ユーザにとって冗長なＵＲＬを自動で可読性のあるＵＲＬに短縮して変換することが可能となり、ユーザは元のＵＲＬのＷｅｂサイトを推定することが可能となる。
【図面の簡単な説明】
【００２０】
【図１】本発明の実施の形態１に係るコンテンツ関係管理システムの構成例を示すブロック図である。
【図２】実施の形態１におけるＵＲＬ変換の一例を示す図である。
【図３】変換後のＵＲＬの構造を説明する図である。
【図４】実施の形態１に係るメール送信の動作の一例を示すフローチャートである。
【図５】実施の形態１に係るＵＲＬ変換処理の動作の一例を示すフローチャートである。
【図６】実施の形態１に係るパス短縮処理の動作の一例を示すフローチャートである。
【図７】実施の形態１に係るページ情報取得の一例を示す図である。
【図８】実施の形態１に係るページ情報取得処理の動作の一例を示すフローチャートである。
【図９】実施の形態１に係るＵＲＬアクセスの動作の一例を示すフローチャートである。
【図１０】実施の形態２に係るコンテンツ関係管理システムの構成例を示すブロック図である。
【図１１】実施の形態２に係るメールを表示するの動作の一例を示すフローチャートである。
【図１２】実施の形態２に係るメールを参照する動作の一例を示すフローチャートである。
【図１３】本発明の実施の形態に係るコンテンツ関係管理装置のハードウェア構成の一例を示すブロック図である。
【発明を実施するための形態】
【００２１】
本発明において、送信メールとは、メール送信者が送信端末に内蔵されるメールアプリケーションを用いて、メール受信者宛に送信するメールである。受信メールとは、実施の形態２において、コンテンツ関係管理装置が受信して記憶したメール受信者宛の送信メールのことである。変換後メールとは、送信メールまたは受信メールに含まれるＵＲＬを、所定の処理を行って変換したＵＲＬと入れ替えたメールである。
【００２２】
ページ表示要求とは、メール受信者が、受信したメールに含まれる、ＵＲＬで指示される対象を表示させるべく操作を行ったことを示す情報であって、表示する対象を指示するＵＲＬを含む。メール表示要求とは、メールサーバからメール受信者の端末（受信端末）に、メール受信者宛のメールを特定するメール特定情報だけが送信された状態で、メール受信者が受信端末を用いてメールサーバにアクセスし、自分宛のメールを表示させるべく操作を行ったことを示す情報であって、メール受信者が選択したメール特定情報を含む。ここでメール特定情報とは、メールの件名、送信者、送信時刻などのメールの外形的な情報であって、メールの本文を含まないものをいう。メール参照要求とは、メール受信者が選択したＵＲＬと同一のＵＲＬを含む受信メールの一覧を表示させるべく操作を行ったことを示す情報であって、対象となるＵＲＬを含む。Ｗｅｂページのソースとは、当該Ｗｅｂページを表示させるためのコンピュータに対する一連の指示であって、プログラミング言語で書かれている。プログラミング言語にはＨＴＭＬ（Hyper Text Markup Language）などがある。パスとは、コンピュータのファイルシステム内におけるファイルやディレクトリの所在を示す文字列であって、ＵＲＬではスラッシュで区切られて表記される。
【００２３】
以下、本発明を実施するための形態について図を参照して詳細に説明する。なお図中、同一または同等の部分には同一の符号を付す。
【００２４】
（実施の形態１）
図１は、本発明の実施の形態に係るコンテンツ関係管理システムの構成例を示すブロック図である。コンテンツ関係管理システム１００は、コンテンツ関係管理装置１と、ＷＥＢサーバ２と、ＤＮＳ（Domain Name System）サーバ３と、送信端末６と、受信端末７とから構成される。コンテンツ関係管理装置１とＷＥＢサーバ２、コンテンツ関係管理装置１と送信端末６、コンテンツ関係管理装置１と受信端末７、受信端末７とＤＮＳサーバ３、ＤＮＳサーバ３とコンテンツ関係管理装置１は、ネットワーク（図示せず）を介して相互に通信可能である。ＷＥＢサーバ２は、コンテンツ関係管理装置１に組み込まれる場合がある。送信端末６および受信端末７は、代表してそれぞれ１台で図示するが、複数の送信端末６および受信端末７がネットワークに接続される場合がある。
【００２５】
コンテンツ関係管理装置１は、メール受信部１１、ＵＲＬ抽出部１２、ＵＲＬ変換部１３、メール送信部１４、情報データベース（以下、情報ＤＢという）１５およびＵＲＬ対応関係解決部１６を備える。なお、メール受信部１１およびメール送信部１４は、メールサーバとしてコンテンツ関係管理装置１と外部接続されることとしてもよい。
【００２６】
メール受信部１１は、メール送信者が送信端末６に入力した送信メールを送信端末６から取得し、ＵＲＬ抽出部１２に送る。
【００２７】
ＵＲＬ抽出部１２は、メール受信部１１から送信メールを受け取ると、送信メールに含まれるＵＲＬを抽出する。ＵＲＬ抽出部１２は、送信メールにＵＲＬが含まれていれば、ＵＲＬ変換部１３に送信メールとともに抽出したＵＲＬを送る。送信メールにＵＲＬが含まれていなければ、メール送信部１４に送信メールをそのまま送る。
【００２８】
ＵＲＬ変換部１３は、ＵＲＬ抽出部１２から送信メールおよびＵＲＬを受け取ると、ＵＲＬに対してＵＲＬ変換処理を行い、送信メールの文中の変換前のＵＲＬを変換後のＵＲＬと入れ替えた変換後メールを生成し、メール送信部１４に送る。また、ＵＲＬ変換部１３は、変換前のＵＲＬと変換後のＵＲＬとを対応付けて情報ＤＢ１５に記憶させる。
【００２９】
メール送信部１４は、ＵＲＬ抽出部１２またはＵＲＬ変換部１３から受け取った送信メールまたは変換後メールをメール受信者の受信端末７に送信する。
【００３０】
情報ＤＢ１５は、ＵＲＬ変換部１３から受け取った変換前のＵＲＬと変換後のＵＲＬとを対応付けて記憶している。
【００３１】
ＵＲＬ対応関係解決部１６は、メール受信者が受信した変換後メールに含まれる変換後のＵＲＬをクリックしたことを示すページ表示要求をＤＮＳサーバ３を介して受信端末７から取得する。ＵＲＬ対応関係解決部１６は、ページ表示要求に含まれる変換後のＵＲＬに対応する変換前のＵＲＬを情報ＤＢ１５から検索して取得する。ＵＲＬ対応関係解決部１６は、変換前のＵＲＬを用いてＷＥＢサーバ２にアクセスし、当該Ｗｅｂページを受信端末７に表示させる。
【００３２】
ＷＥＢサーバ２は、ＷＷＷシステムにおいて情報送信を行うコンピュータであって、コンテンツ関係管理装置１のＵＲＬ対応関係解決部１６から変換前のＵＲＬに対応するＷｅｂページを受信端末７に表示させる要求を受け取ると、インターネットなどのネットワークを通じて、変換前のＵＲＬに対応するＷｅｂページのＨＴＭＬ文書や画像などの情報を受信端末７に送信する。
【００３３】
ＤＮＳサーバ３は、ホスト名の入力があると、そのホストを識別するＩＰアドレスを検索するサーバである。変換後のＵＲＬにはコンテンツ関係管理装置１のホスト名が必ず含まれており、メール受信者が受信した変換後メールに含まれる変換後のＵＲＬをクリックすると、ＤＮＳサーバ３は、ホスト名を元にコンテンツ関係管理装置１を検出し、そのＩＰアドレスにページ表示要求を送信する。
【００３４】
送信端末６はメール送信者が使用する端末であって、表示部６１および入力部６２を備える。受信端末７は、メール受信者が使用する端末であって表示部７１および入力部７２を備える。メール送信者が送信端末６の入力部６２にメール受信者宛の送信メールを入力すると、送信端末６は、コンテンツ関係管理装置１のメール受信部１１に送信メールを送信する。受信端末７は、コンテンツ関係管理装置１のメール送信部１４から変換後メールを受け取ると、表示部７１に表示する。メール受信者が、表示部７１に表示された変換後メールに含まれるＵＲＬを入力部７２でクリックすると、受信端末７は、当該ＵＲＬをクリックしたことを示すページ表示要求を、ＤＮＳサーバ３を介してコンテンツ関係管理装置１のＵＲＬ対応関係解決部１６に送信する。
【００３５】
図２は、実施の形態１におけるＵＲＬ変換の一例を示す図である。Ｗｅｂブラウザのアドレスバー上に表示されているＵＲＬをメールに貼り付けた場合、図２（ａ）に示すような冗長な文字列であることが多い。コンテンツ関係管理装置１は、これを、図２（ｂ）に示すような短い文字列に変換する。
【００３６】
図３は、変換後のＵＲＬの構造を説明する図である。変換後のＵＲＬの「https://」の後部は、<linkserver-address>と、<path>と、<path-hash>と、<pageinfo>と、<pageinfo-hash>とで構成される。ＨＴＴＰＳ (Hypertext Transfer Protocol over Secure Socket Layer) は、ＷｅｂブラウザとＷＥＢサーバの間でＨＴＭＬや画像などのコンテンツの送受信に用いられる通信プロトコルであって、ＳＳＬ（Secure Sockets Layer）またはＴＬＳ（Transport Layer Security）によってセキュリティが保護されている。なお、メッセージを平文のままで送受信するＨＴＴＰ（Hypertext Transfer Protocol）を用いて「http://」から始まるＵＲＬとしてもよい。
【００３７】
<linkserver-address>は、コンテンツ関係管理装置１のホスト名であり、ＤＮＳサーバ３を利用することで、ＵＲＬ変換後でも受信端末からコンテンツ関係管理装置１にアクセス可能になる。ここでは、変換前のＵＲＬによらず固定値とする。図２の例では、「linkserver.example.com」にあたる。
【００３８】
<path>は、変換前のＵＲＬのパスの部分をＮ文字以内に短縮したものであり、元のＵＲＬを残しておくことで、ユーザは変換後のＵＲＬを見たときに、対応するＷｅｂサイトをある程度推測することが可能となる。図２の例では、「server.example.com/top/bts」にあたる。この場合、当該ＵＲＬは「server.example.com」というＷｅｂサイトのいずれかのページであることが推測できる。また、所定の値Ｎはシステム管理者が任意に設定することとする。<path-hash>は短縮後の<path>の文字列が他の変換後のＵＲＬと重複した場合に重複を回避し、一意に識別するための文字列である。
【００３９】
<pageinfo>は変換前のＵＲＬが指し示すＷｅｂページの情報であり、所定のルールに従ってＷｅｂページの一部を抽出することによって取得される。図２の例では、「課題一覧」にあたる。<pageinfo>を抽出するためのルールの詳細は後述する。<pageinfo-hash>は<pageinfo>の文字列が他の変換後のＵＲＬと重複した場合に重複を回避し、一意に識別するための文字列である。
【００４０】
図４は、実施の形態１に係るメール送信の動作の一例を示すフローチャートである。まず、メール受信部１１は、送信端末６から送信メールを受信する（ステップＳ１１）。ＵＲＬ抽出部１２は、送信メールを走査し（ステップＳ１２）、送信メールに含まれるＵＲＬを抽出する。たとえば、「https://」または「http://」の文字列を検出し、「https://」または「http://」から始まる連続する半角英数字の文字列をＵＲＬとして抽出する。送信メールにＵＲＬが含まれていない場合（ステップＳ１３；ＮＯ）、メール送信部１４は、送信メールを受信端末７に送信し（ステップＳ１６）、処理を終了する。
【００４１】
一方、送信メールにＵＲＬが含まれている場合（ステップＳ１３；ＹＥＳ）、ＵＲＬ変換部１３は、ＵＲＬ変換処理を行って（ステップＳ１４）、変換前のＵＲＬと変換後のＵＲＬとを対応付けて情報ＤＢ１５に記憶させる（ステップＳ１５）。メール送信部１４は、送信メールに含まれる変換前のＵＲＬを変換後のＵＲＬに入れ替えた変換後メールを受信端末７に送信し（ステップＳ１６）、処理を終了する。
【００４２】
図５は、実施の形態１に係るＵＲＬ変換処理の動作の一例を示すフローチャートである。図５のフローチャートは、図４のステップＳ１４で定義されたＵＲＬ変換処理の詳細である。まず、ＵＲＬ変換部１３は、ＵＲＬ抽出部１２から対象となるＵＲＬを受信する（ステップＳ２１）。ＵＲＬ変換部１３は、対象となるＵＲＬのパスの文字列の長さが閾値Ｎより長いか否かを判定する（ステップＳ２２）。パスの文字列の長さが閾値Ｎより短い場合（ステップＳ２２；ＮＯ）、ＵＲＬ変換部１３は、ページ情報取得処理を実行する（ステップＳ２４）。パスの文字列の長さが閾値Ｎより長い場合（ステップＳ２２；ＹＥＳ）、ＵＲＬ変換部１３は、パス短縮処理を実行し（ステップＳ２３）、ページ情報取得処理を実行する（ステップＳ２４）。次に、ＵＲＬ変換部１３は、パス短縮処理で出力された短縮パスと、ページ情報取得処理で出力されたページ情報とに基づいてＵＲＬを変換し（ステップＳ２５）、処理を終了する。
【００４３】
図６は、実施の形態１に係るパス短縮処理の動作の一例を示すフローチャートである。図６のフローチャートは、図５のステップＳ２３で定義されたパス短縮処理の詳細である。まず、ＵＲＬ変換部１３は、パスの文字列の長さが閾値Ｎより長い場合（ステップＳ３１；ＹＥＳ）、ＵＲＬの最後のセグメント（スラッシュで囲まれた部分）を削除する（ステップＳ３２）。ＵＲＬ変換部１３は、パスの文字列の長さが閾値Ｎより短くなるまでステップＳ３１およびステップＳ３２を繰り返し、パスの文字列の長さが閾値Ｎより短くなったら（ステップＳ３２；ＮＯ）、短縮した文字列が情報ＤＢ１５に登録済か否かを判定する（ステップＳ３３）。短縮した文字列が情報ＤＢ１５に登録済でない場合（ステップＳ３３；ＮＯ）、ＵＲＬ変換部１３は、当該短縮した文字列を短縮パスとして出力し（ステップＳ３５）、処理を終了する。短縮した文字列が情報ＤＢ１５に登録済である場合（ステップＳ３３；ＹＥＳ）、登録済の文字列と重複しないように番号を付与する（ステップＳ３４）。そして、ＵＲＬ変換部１３は、当該短縮した文字列を短縮パスとして出力し（ステップＳ３５）、処理を終了する。
【００４４】
図７は、実施の形態１に係るページ情報取得の一例を示す図である。ページ情報は図７で示されるようなアクセス先のＨＴＭＬ（ソース）から、ｔｉｔｌｅタグ部分を抽出することによってページ情報を取得する。図７の例では、破線で囲まれた「２０１０年課題」をページ情報として取得する。なお、ｔｉｔｌｅタグに限らず、条件に適合した部分の集合を取り出すXPath（XML Path）や正規表現などを使用し、任意の要素をページ情報として取得可能である。たとえば、他の例として、ｄｉｖ領域の名前を指定することで「課題一覧」という特徴的な文字列を<pageinfo>として利用可能である。このように、Ｗｅｂシステムに応じたルールを定義することで可読性の高い<pageinfo>を生成することができる。
【００４５】
図８は、実施の形態１に係るページ情報取得処理の動作の一例を示すフローチャートである。図８のフローチャートは、図５のステップＳ２４で定義されたページ情報取得処理の詳細である。まず、ＵＲＬ変換部１３は、対象となるＵＲＬを用いてサーバにアクセスできるか否かを判定する（ステップＳ４１）。サーバにアクセスできない場合（ステップＳ４１；ＮＯ）、ページ情報なしとして出力する（ステップＳ４２）。サーバにアクセスできる場合（ステップＳ４１；ＹＥＳ）、ＵＲＬ変換部１３は、当該ＷｅｂページのＨＴＭＬを取得し（ステップＳ４３）、ルールに従って文字列を取得する（ステップＳ４４）。このとき、ページ情報が長くならないように、たとえばＭ文字以内の文字列を選択して取得するなどのルールを設定するとよい。次に、ＵＲＬ変換部１３は、取得した文字列が情報ＤＢ１５に登録済か否かを判定する（ステップＳ４５）。取得した文字列が情報ＤＢ１５に登録済でない場合（ステップＳ４５；ＮＯ）、ＵＲＬ変換部１３は、当該文字列をページ情報として出力し（ステップＳ４７）、処理を終了する。取得した文字列が情報ＤＢ１５に登録済である場合（ステップＳ４５；ＹＥＳ）、登録済の文字列と重複しないように番号を付与する（ステップＳ４６）。そして、ＵＲＬ変換部１３は、当該文字列をページ情報として出力し（ステップＳ４７）、処理を終了する。
【００４６】
図９は、実施の形態１に係るＵＲＬアクセスの動作の一例を示すフローチャートである。まず、メール受信者の入力部７２で変換後のＵＲＬをクリックすると、ＵＲＬ対応関係解決部１６は、受信端末７からページ表示要求を受け取る（ステップＳ５１）。ＵＲＬ対応関係解決部１６は、情報ＤＢ１５を検索し、ページ表示要求に含まれる変換後のＵＲＬの変換前のＵＲＬがあるか否かを判定する（ステップＳ５２）。変換前のＵＲＬがない場合（ステップＳ５２；ＮＯ）、ＵＲＬ対応関係解決部１６は、アクセスに失敗したことを示すエラー情報を受信端末７に送信し（ステップＳ５３）、処理を終了する。
【００４７】
一方、変換前のＵＲＬがある場合（ステップＳ５２；ＹＥＳ）、ＵＲＬ変換部１３は、変換前のＵＲＬでＷＥＢサーバ２にアクセスする（ステップＳ５４）。ＵＲＬ対応関係解決部１６は、ＷＥＢサーバ２に指示を送り、該当するＷｅｂページを受信端末７に表示させ（ステップＳ５３）、処理を終了する。
【００４８】
以上説明したように、本実施の形態のコンテンツ関係管理システム１００によれば、ユーザにとって冗長なＵＲＬを自動で可読性のあるＵＲＬに短縮して変換することが可能となり、ユーザは元のＵＲＬのＷｅｂサイトを推定することが可能となる。これにより、クリックした先が悪意を持ったページであるなど危険性を軽減することが期待できる。
【００４９】
（実施の形態２）
図１０は、実施の形態２に係るコンテンツ関係管理システムの構成例を示すブロック図である。コンテンツ関係管理システム２００は、実施の形態１に係るコンテンツ関係管理装置１のメール送信部１４に代えてメール表示部１７が追加されている。実施の形態２では、メール受信者は、自分宛のメールを受信端末７に内蔵されるメールアプリケーションで受信して見るのではなく、受信端末７からコンテンツ関係管理装置１にアクセスして見る。コンテンツ関係管理装置１は、メールサーバの一種である。メール受信者が受信端末７からメールサーバにアクセスして、受信ボックスを参照したときに、受信したメールを特定するメール特定情報（件名、送信者、送信時刻など）だけが受信端末７に表示される。その状態では、受信したメールの本文は受信端末７に送信されない。実施の形態２は、たとえば、Ｗｅｂメール等に利用できる。メール受信部１１は、取得した送信メールをメール受信者宛の受信メールとして情報ＤＢ１５に記憶させる。メール受信者が、受信端末７の入力部７２からコンテンツ関係管理装置１にアクセスすると、メール表示部１７は、メール受信者を識別する情報をＵＲＬ抽出部１２に送る。
【００５０】
ＵＲＬ抽出部１２は、メール表示部１７から受け取ったメール受信者を識別する情報に基づいて、情報ＤＢ１５から当該メール受信者宛の受信メールのメール特定情報を抽出し、メール表示部１７に返す。また、ＵＲＬ抽出部１２は、メール表示部１７からメール表示要求を受け取ると、メール表示要求に含まれるメール特定情報に基づいて、情報ＤＢ１５から当該メール受信者宛の受信メールを検索する。また、ＵＲＬ抽出部１２は、検索したメールにＵＲＬが含まれていれば、ＵＲＬ変換部１３に抽出したＵＲＬとともに受信メールを送る。受信メールにＵＲＬが含まれていなければ、メール表示部１７に受信メールを送る。
【００５１】
さらに、ＵＲＬ抽出部１２は、メール表示部１７からメール参照要求（たとえば、「https://linkserver.example.com/server.example.com/top/bts/課題一覧?references」）を受け取ると、メール参照要求に含まれるＵＲＬを含む受信メールがあるか否かを判定し、ある場合は、メール参照要求に含まれるＵＲＬを含む受信メールの一覧を生成し、メール表示部１７に送る。
【００５２】
ＵＲＬ変換部１３は、ＵＲＬ抽出部１２からＵＲＬおよび受信メールを受け取ると、ＵＲＬに対してＵＲＬ変換処理を行い、変換後のＵＲＬを受信メールの変換前のＵＲＬと入れ替えて、変換後メールを生成し、メール表示部１７に送る。また、実施の形態２では、ＵＲＬ変換部１３は、変換前のＵＲＬと変換後のＵＲＬと変換後メールとを対応付けて情報ＤＢ１５に記憶させる。
【００５３】
情報ＤＢ１５は、ＵＲＬ変換部１３から受け取った変換前のＵＲＬと変換後のＵＲＬと変換後メールとを対応付けて記憶している。
【００５４】
メール表示部１７は、受信端末７からの入力を受け付ける。また、メール表示部１７は、ＵＲＬ抽出部１２またはＵＲＬ変換部１３から受け取ったメール特定情報、受信メールまたは変換後メールを一時記憶し、受信端末７は、メール表示部１７に一時記憶された受信メールまたは変換後メールを取得して表示部７１に表示する。
【００５５】
ＵＲＬ対応関係解決部１６は、メール受信者が変換後メールに含まれる変換後のＵＲＬをクリックしたことを示すページ表示要求をメール表示部１７から取得すると、当該変換後のＵＲＬ対応する変換前のＵＲＬを情報ＤＢ１５から検索して取得する。ＵＲＬ対応関係解決部１６は、変換前のＵＲＬを用いてＷＥＢサーバ２にアクセスし、当該Ｗｅｂページを受信端末７に表示させる。
【００５６】
図１１は、実施の形態２に係るメールを表示する動作の一例を示すフローチャートである。まず、メール受信者が受信端末７からコンテンツ関係管理装置１にアクセスすると、コンテンツ関係管理装置１は受信端末７にメール受信者宛のメールを特定するメール特定情報のみを送る（ステップＳ６１）。受信端末７は、受け取ったメール特定情報を表示部７１に表示する（ステップＳ６２）。メール受信者が表示部７１に表示されたメール特定情報を見て、入力部７２にメール表示要求を入力すると、受信端末７は、コンテンツ関係管理装置１にメール表示要求を送る（ステップＳ６３）。コンテンツ関係管理装置１のメール表示部１７は、受信端末７からメール表示要求を受け取ると（ステップＳ６４）、ＵＲＬ抽出部１２にメール表示要求を送る。ＵＲＬ抽出部１２は、メール表示要求に含まれるメール特定情報に基づいて、ユーザが表示を要求した受信メールを走査し（ステップＳ６５）、当該受信メールに含まれるＵＲＬを抽出する。受信メールにＵＲＬが含まれていない場合（ステップ６６；ＮＯ）、メール表示部１７は、受信端末７に受信メールを送り（ステップＳ６９）、処理を終了する。
【００５７】
一方、受信メールにＵＲＬが含まれている場合（ステップＳ６６；ＹＥＳ）、ＵＲＬ変換部１３は、ＵＲＬ変換処理を行って（ステップＳ６７）、変換前のＵＲＬと変換後のＵＲＬと変換後メールとを対応付けて情報ＤＢ１５に記憶させる（ステップＳ６８）。メール表示部１７は、受信端末７に変換後メールを送り（ステップＳ６９）、処理を終了する。受信端末７は、コンテンツ関係管理装置１から送られた受信メールまたは変換後メールを受け取って、表示部７１に表示して（ステップＳ７０）、処理を終了する。
【００５８】
図１２は、実施の形態２に係るメールを参照する動作の一例を示すフローチャートである。まず、メール受信者が受信端末７の入力部７２にメール参照要求を入力すると、受信端末７は、コンテンツ関係管理装置１にメール参照要求を送る（ステップＳ８１）。コンテンツ関係管理装置１のメール表示部１７は、受信端末７からメール参照要求を受け取ると（ステップＳ８２）、ＵＲＬ抽出部１２にメール参照要求を送る。ＵＲＬ抽出部１２は、メール参照要求に含まれるＵＲＬに基づいて、情報ＤＢ１５に当該ＵＲＬを文中に含む当該メール受信者宛の受信メールがあるか否かを判定する（ステップＳ８３）。当該ＵＲＬを文中に含む受信メールがない場合（ステップＳ８３；ＮＯ）、メール表示部１７は、受信端末７に受信メールなしのエラー情報を送り（ステップＳ８４）、処理を終了する。
【００５９】
一方、当該ＵＲＬを文中に含む受信メールがある場合（ステップＳ８３；ＹＥＳ）、ＵＲＬ抽出部１２は、当該ＵＲＬを文中に含む受信メールの一覧を受信端末７に送り（ステップＳ８５）、処理を終了する。受信端末７は、受信メールなしのエラー情報または対象ＵＲＬを文中に含む受信メールの一覧を受け取って、表示部７１に表示して（ステップＳ８６）、処理を終了する。
【００６０】
以上説明したように、本実施の形態のコンテンツ関係管理システム２００によれば、流通するメールのデータを直接改変せず、システムの利用者のみにメールのＵＲＬ変換を適用することが可能になる。また、変換後のＵＲＬと変換後メールが関連付けられていることで、同一のＵＲＬを含むメールを列挙するなどの機能を実現できる。これにより、グループで作業している際に、参考のために特定のＷｅｂページなどをメールの文中に貼り付けて送信すると、別人が別の時期に同じＷｅｂページを紹介するなどの無駄が解消できる。
【００６１】
図１３は、本発明の実施の形態に係るコンテンツ関係管理装置のハードウェア構成の一例を示すブロック図である。コンテンツ関係管理装置１は、図１３に示すように、制御部２１、主記憶部２２、外部記憶部２３、操作部２４、表示部２５、入出力部２６および送受信部２７を備える。主記憶部２２、外部記憶部２３、操作部２４、表示部２５、入出力部２６および送受信部２７はいずれも内部バス２０を介して制御部２１に接続されている。
【００６２】
制御部２１はＣＰＵ（Central Processing Unit）等から構成され、外部記憶部２３に記憶されている制御プログラム３０に従って、コンテンツ関係管理装置１のメール受信部１１、ＵＲＬ抽出部１２、ＵＲＬ変換部１３、メール送信部１４、ＵＲＬ対応関係解決部１６およびメール表示部１７の各処理を実行する。
【００６３】
主記憶部２２はＲＡＭ（Random-Access Memory）等から構成され、外部記憶部２３に記憶されている制御プログラム３０をロードし、制御部２１の作業領域として用いられる。
【００６４】
外部記憶部２３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、コンテンツ関係管理装置１の処理を制御部２１に行わせるためのプログラムをあらかじめ記憶し、また、制御部２１の指示に従って、このプログラムが記憶するデータを制御部２１に供給し、制御部２１から供給されたデータを記憶する。情報ＤＢ１５は、外部記憶部２３に構成される。
【００６５】
操作部２４はキーボードおよびマウスなどのポインティングデバイス等と、キーボードおよびポインティングデバイス等を内部バス２０に接続するインタフェース装置から構成されている。閾値Ｎや所定の値Ｍを設定する場合などは、操作部２４を介して、指示が制御部２１に供給される。
【００６６】
表示部２５は、ＣＲＴ（Cathode Ray Tube）またはＬＣＤ（Liquid Crystal Display）などから構成され、閾値Ｎや所定の値Ｍを設定する場合などは、操作画面を表示する。
【００６７】
入出力部２６は、シリアルインタフェースまたはパラレルインタフェースから構成されている。入出力部２６は、メール転送装置が附属する場合は、それと接続する。
【００６８】
送受信部２７は、ネットワークに接続する網終端装置または無線通信装置、およびそれらと接続するシリアルインタフェースまたはＬＡＮ（Local Area Network）インタフェースから構成されている。送受信部２７は、ネットワークを介して、ＷＥＢサーバ２、ＤＮＳサーバ３、送信端末６および受信端末７に接続する。
【００６９】
図１に示すコンテンツ関係管理装置１のメール受信部１１、ＵＲＬ抽出部１２、ＵＲＬ変換部１３、メール送信部１４、ＵＲＬ対応関係解決部１６およびメール表示部１７の処理は、制御プログラム３０が、制御部２１、主記憶部２２、外部記憶部２３、操作部２４、表示部２５、入出力部２６および送受信部２７などを資源として用いて処理することによって実行する。
【００７０】
その他、前記のハードウェア構成やフローチャートは一例であり、任意に変更および修正が可能である。
【００７１】
制御部２１、主記憶部２２、外部記憶部２３、操作部２４、内部バス２０などから構成されるコンテンツ関係管理処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行するコンテンツ関係管理システムを構成してもよい。また、インターネット等の通信ネットワーク上のサーバ装置が有する記憶装置に当該コンピュータプログラムを格納しておき、通常のコンピュータシステムがダウンロード等することでコンテンツ関係管理システムを構成してもよい。
【００７２】
また、コンテンツ関係管理システムの機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７３】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００７４】
上記の実施形態の一部又は全部は、以下の付記のようにも記載されうるが、以下には限られない。
【００７５】
（付記１）
メール送信者からメール受信者宛の送信メールを取得する取得手段と、
前記送信メールの文中に含まれるＵＲＬを抽出する抽出手段と、
前記ＵＲＬのパスの文字列と前記ＵＲＬに対応するＷｅｂページのソースとに基づいて、所定のルールに従って前記ＵＲＬを短縮して変換する変換手段と、
前記送信メールの文中の変換前のＵＲＬを、前記変換手段が変換した変換後のＵＲＬに入れ替えた変換後メールをメール受信者に提示する第１提示手段と、
前記変換前のＵＲＬと前記変換後のＵＲＬとを対応付けて記憶する記憶手段と、
前記メール受信者から前記変換後のＵＲＬに対応するＷｅｂページのページ表示要求を取得する要求手段と、
前記要求手段が前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示手段と、
を備えることを特徴とするコンテンツ関係管理システム。
【００７６】
（付記２）
前記記憶手段は、前記変換前のＵＲＬと前記変換後のＵＲＬと前記変換後メールまたは前記送信メールとを対応付けて記憶することを特徴とする付記１に記載のコンテンツ関係管理システム。
【００７７】
（付記３）
前記ＵＲＬに対応するＷｅｂページのソースを取得し、前記所定のルールに従って、前記ソースからページ情報を取得するページ情報手段を備え、
前記変換手段は、前記変換前のＵＲＬのパスの文字列を文字数が所定の値以下になるまで最後のセグメントから順次削除して短縮し、前記短縮した文字列と前記ページ情報とに基づいて、前記変換後のＵＲＬを生成することを特徴とする付記１または２に記載のコンテンツ関係管理システム。
【００７８】
（付記４）
メール送信者からメール受信者宛の送信メールを前記メール送信者の端末から受信する受信手段と、
前記送信メールの文中に含まれるＵＲＬを抽出する抽出手段と、
前記ＵＲＬのパスの文字列と前記ＵＲＬに対応するＷｅｂページのソースとに基づいて、所定のルールに従って前記ＵＲＬを短縮して変換する変換手段と、
前記送信メールの文中の変換前のＵＲＬを、前記変換手段が変換した変換後のＵＲＬに入れ替えた変換後メールをメール受信者の端末に送信する送信手段と、
前記変換前のＵＲＬと前記変換後のＵＲＬとを対応付けて記憶する記憶手段と、
前記メール受信者の端末から前記変換後のＵＲＬに対応するＷｅｂページのページ表示要求を取得する要求手段と、
前記要求手段が前記ページ表示要求を取得すると、前記変換後のＵＲＬに対応する前記変換前のＵＲＬを前記記憶手段から検索し、前記変換前のＵＲＬに対応するＷｅｂページを前記メール受信者の端末に表示させる表示手段と、
を備えることを特徴とするコンテンツ関係管理装置。
【００７９】
（付記５）
前記送信メールを特定するメール特定情報のみを前記メール受信者の端末に送信する副送信手段と、
前記メール受信者の端末から、前記メール受信者宛の送信メールのメール表示要求を取得するメール要求手段と、
を備え、
前記送信手段は、前記メール要求手段が取得した前記メール表示要求の対象の変換後メールを前記メール受信者の端末に送信することを特徴とする付記４に記載のコンテンツ関係管理装置。
【００８０】
（付記６）
前記記憶手段は、前記変換前のＵＲＬと前記変換後のＵＲＬと前記変換後メールまたは前記送信メールとを対応付けて記憶することを特徴とする付記４または５に記載のコンテンツ関係管理装置。
【００８１】
（付記７）
前記ＵＲＬに対応するＷｅｂページのソースを取得し、前記所定のルールに従って、前記ソースからページ情報を取得するページ情報手段を備え、
前記変換手段は、前記変換前のＵＲＬのパスの文字列を文字数が所定の値以下になるまで最後のセグメントから順次削除して短縮し、前記短縮した文字列と前記ページ情報とに基づいて、前記変換後のＵＲＬを生成することを特徴とする付記４ないし６のいずれか１項に記載のコンテンツ関係管理装置。
【００８２】
（付記８）
コンテンツ関係管理システムが実行するコンテンツ関係管理方法であって、
メール送信者からメール受信者宛の送信メールを取得する取得ステップと、
前記送信メールの文中に含まれるＵＲＬを抽出する抽出ステップと、
前記ＵＲＬのパスの文字列と前記ＵＲＬに対応するＷｅｂページのソースとに基づいて、所定のルールに従って前記ＵＲＬを短縮して変換する変換ステップと、
前記送信メールの文中の変換前のＵＲＬを、前記変換ステップで変換した変換後のＵＲＬに入れ替えた変換後メールをメール受信者に提示する第１提示ステップと、
前記変換前のＵＲＬと前記変換後のＵＲＬとを対応付けて記憶手段に記憶する記憶ステップと、
前記メール受信者から前記変換後のＵＲＬに対応するＷｅｂページのページ表示要求を取得する要求ステップと、
前記要求ステップで前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示ステップと、
を備えることを特徴とするコンテンツ関係管理方法。
【００８３】
（付記９）
コンピュータに
メール送信者からメール受信者宛の送信メールを取得する取得ステップと、
前記送信メールの文中に含まれるＵＲＬを抽出する抽出ステップと、
前記ＵＲＬのパスの文字列と前記ＵＲＬに対応するＷｅｂページのソースとに基づいて、所定のルールに従って前記ＵＲＬを短縮して変換する変換ステップと、
前記送信メールの文中の変換前のＵＲＬを、前記変換ステップで変換した変換後のＵＲＬに入れ替えた変換後メールをメール受信者に提示する第１提示ステップと、
前記変換前のＵＲＬと前記変換後のＵＲＬとを対応付けて記憶手段に記憶する記憶ステップと、
前記メール受信者から前記変換後のＵＲＬに対応するＷｅｂページのページ表示要求を取得する要求ステップと、
前記要求ステップで前記ページ表示要求を取得すると、前記変換後のＵＲＬに対応する前記変換前のＵＲＬを前記記憶手段から検索し、前記変換前のＵＲＬに対応するＷｅｂページを前記メール受信者に提示する第２提示ステップと、
を実行させることを特徴とするプログラム。
【符号の説明】
【００８４】
１  コンテンツ関係管理装置
２  ＷＥＢサーバ
３  ＤＮＳサーバ
６  送信端末
７  受信端末
１１  メール受信部
１２  ＵＲＬ抽出部
１３  ＵＲＬ変換部
１４  メール送信部
１５  情報データベース
１６  ＵＲＬ対応関係解決部
１７  メール表示部
２０  内部バス
２１  制御部
２２  主記憶部
２３  外部記憶部
２４  操作部
２５  表示部
２６  入出力部
２７  送受信部
３０  制御プログラム
６１  表示部
６２  入力部
７１  表示部
７２  入力部
１００、２００  コンテンツ関係管理システム
【図１】
2011186639.tif 000003
【図２】
2011186639.tif 000004
【図３】
2011186639.tif 000005
【図４】
2011186639.tif 000006
【図５】
2011186639.tif 000007
【図６】
2011186639.tif 000008
【図７】
2011186639.tif 000009
【図８】
2011186639.tif 000010
【図９】
2011186639.tif 000011
【図１０】
2011186639.tif 000012
【図１１】
2011186639.tif 000013
【図１２】
2011186639.tif 000014
【図１３】
2011186639.tif 000015